【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
印刷対象物を回転させる回転駆動部と、
回転する前記印刷対象物が描く円の半径方向に相当する基準線および前記基準線に平行する１つ以上のオフセット線のうち、２つ以上の線上に配列される２列以上の吐出ノズル列を有し、前記２列以上の吐出ノズル列の吐出ノズルから同一色のインク滴を吐出する印刷ヘッドと、
前記各吐出ノズル列が前記基準線上または前記オフセット線上で微小移動するように前記印刷ヘッドを移動させるヘッド駆動部と、
前記吐出ノズル列の長さに対応する領域を印刷するために、回転する前記印刷対象物上を通過する前記吐出ノズルの経路が微小移動するように前記ヘッド駆動部を制御し、回転する前記印刷対象物上を微小移動された経路で通過する前記吐出ノズルからインク滴を吐出するように前記印刷ヘッドを制御する印刷制御部と、
を備える、印刷装置。
【請求項２】
前記印刷制御部は、前記印刷対象物の回転方向に連続する複数の印刷位置に対して、第１の印刷タイミングでは、所定の印刷位置で前記吐出ノズルからインク滴を吐出するように前記印刷ヘッドを制御し、前記吐出ノズルの経路が微小移動するように前記ヘッド駆動部を制御した後、後続の第２の印刷タイミングでは、前記第１の印刷タイミングでインク滴が吐出された印刷位置に隣接する印刷位置に対して、前記吐出ノズルからインク滴を吐出するように前記印刷ヘッドを制御する、請求項１に記載の印刷装置。
【請求項３】
前記印刷制御部は、前記印刷対象物の回転方向に連続する複数の印刷位置に対して、連続する第１の印刷タイミング群では、前記連続する複数の印刷位置のうち所定の周期毎の印刷位置で前記吐出ノズルからインク滴を吐出するように前記印刷ヘッドを制御し、前記吐出ノズルの経路が微小移動するように前記ヘッド駆動部を制御した後、連続する第２の印刷タイミング群では、前記第１の印刷タイミング群でインク滴が吐出された印刷位置に隣接する印刷位置に対して、前記吐出ノズルからインク滴を吐出するように前記印刷ヘッドを制御する、請求項１に記載の印刷装置。
【請求項４】
前記印刷対象物の回転方向に連続する複数の印刷位置が定められ、前記複数の印刷位置が前記印刷対象物の回転方向に連続する複数の印刷領域に区分され、
前記印刷制御部は、前記各印刷領域における前記印刷対象物の回転方向に連続する複数の印刷位置に対して、第１の印刷タイミングでは、前記各印刷領域における所定の印刷位置で前記吐出ノズルからインク滴を吐出するように前記印刷ヘッドを制御し、前記吐出ノズルの経路が微小移動するように前記ヘッド駆動部を制御した後、後続の第２の印刷タイミングでは、前記各印刷領域における前記第１の印刷タイミングでインク滴が吐出された印刷位置に隣接する印刷位置に対して、前記吐出ノズルからインク滴を吐出するように前記印刷ヘッドを制御する、請求項１に記載の印刷装置。
【請求項５】
前記印刷対象物の回転方向に連続する複数の印刷位置が定められ、前記複数の印刷位置が前記印刷対象物の回転方向に連続する複数の印刷領域に区分され、
前記印刷制御部は、前記各印刷領域における前記印刷対象物の回転方向に連続する複数の印刷位置に対して、連続する第１の印刷タイミング群では、前記各印刷領域における前記連続する複数の印刷位置のうち所定の周期毎の印刷位置で前記吐出ノズルからインク滴を吐出するように前記印刷ヘッドを制御し、前記吐出ノズルの経路が微小移動するように前記ヘッド駆動部を制御した後、連続する第２の印刷タイミング群では、前記各印刷領域における前記第１の印刷タイミング群でインク滴が吐出された印刷位置に隣接する印刷位置に対して、前記吐出ノズルからインク滴を吐出するように前記印刷ヘッドを制御する、請求項１に記載の印刷装置。
【請求項６】
前記２列以上の吐出ノズル列は、前記基準線に対して他のいずれの吐出ノズル列とも線対称に配置されていない吐出ノズル列を含む、請求項１に記載の印刷装置。
【請求項７】
前記２列以上の吐出ノズル列には、複数の吐出ノズルが千鳥状に配置されている、請求項１に記載の印刷装置。
【請求項８】
回転する印刷対象物が描く円の半径方向に相当する基準線および前記基準線に平行する１つ以上のオフセット線のうち、２つ以上の線上に配列される２列以上の吐出ノズル列を有する印刷ヘッドにより、回転する前記印刷対象物上を第１の経路で通過する吐出ノズルから同一色のインク滴を吐出させる工程と、
前記各吐出ノズル列が前記基準線上または前記オフセット線上で微小移動するように前記印刷ヘッドを移動させる工程と、
回転する前記印刷対象物上を前記第１の経路から微小移動された第２の経路で通過する前記吐出ノズルから同一色のインク滴を吐出させる工程と、
を含む、印刷方法。
【請求項９】
回転する印刷対象物が描く円の半径方向に相当する基準線および前記基準線に平行する１つ以上のオフセット線のうち、２つ以上の線上に配列される２列以上の吐出ノズル列を有する印刷ヘッドにより、回転する前記印刷対象物上を第１の経路で通過する吐出ノズルから同一色のインク滴を吐出させる工程と、
前記各吐出ノズル列が前記基準線上または前記オフセット線上で微小移動するように前記印刷ヘッドを移動させる工程と、
回転する前記印刷対象物上を前記第１の経路から微小移動された第２の経路で通過する前記吐出ノズルから同一色のインク滴を吐出させる工程と、
を含む、印刷方法をコンピュータに実行させるためのプログラム。
【手続補正２】
【補正対象書類名】明細書
【補正対象項目名】０００９
【補正方法】変更
【補正の内容】
【０００９】
一方、Ｒθ走査方式の印刷ヘッド２０では、回転するディスク１００（図１９Ｂ、図２０Ａ，２０Ｂ，および図２１Ａ，２１Ｂでは、ディスク１００の回転方向ＲＤとして示されている。）の半径方向に相当する基準線Ｂおよび基準線Ｂに平行する１つ以上のオフセット線Ｏのうち、１つ以上の線上にノズル列が１列配置、複数列配置、または千鳥配置される。
【手続補正３】
【補正対象書類名】明細書
【補正対象項目名】００２６
【補正方法】変更
【補正の内容】
【００２６】
スピンドルモータ３は、トレイ２により搬送されたディスク１００を回転駆動させる回転駆動部として機能する。スピンドルモータ３は、図示しないモータベースに固定され、ディスク装着位置に搬送されたトレイ２のディスク収納部１０の略中央部に対向して配置される。スピンドルモータ３の回転軸の先端には、ターンテーブル１２が設けられ、ターンテーブル１２には、光ディスク１００の中心孔１００ｃに着脱可能に嵌合されるディスク嵌合部１２ａが設けられる。
【手続補正４】
【補正対象書類名】明細書
【補正対象項目名】００２７
【補正方法】変更
【補正の内容】
【００２７】
トレイ２がディスク装着位置に搬送されると、図示しない昇降機構によりモータベースが上昇され、スピンドルモータ３およびターンテーブル１２が上方に移動する。そして、ターンテーブル１２のディスク嵌合部１２ａがディスク１００の中心孔１００ｃに嵌合され、ディスク収納部１０から所定距離だけディスク１００が持ち上げられる。これにより、ディスク１００がターンテーブル１２と一体的に回転可能な状態となり、スピンドルモータ３の回転によりディスク１００が回転される。
【手続補正５】
【補正対象書類名】明細書
【補正対象項目名】００２８
【補正方法】変更
【補正の内容】
【００２８】
また、昇降機構によりスピンドルモータ３を下降させると、ターンテーブル１２のディスク嵌合部１２ａがディスク１００の中心孔１００ｃから下方へ抜け出す。これにより、ターンテーブル１２がディスク１００から外れ、ディスク１００がディスク収納部１０上に載置される。この状態で、トレイ移動機構によりトレイ２をスピンドルモータ３から離れる方向へ移動させると、トレイ２の先端が筐体から所定量だけ突出する。
【手続補正６】
【補正対象書類名】明細書
【補正対象項目名】００３０
【補正方法】変更
【補正の内容】
【００３０】
記録／再生部５は、スピンドルモータ３により回転されるディスク１００の記録面１００ｂに対するデータの記録および／または再生を行う。記録／再生部５は、光ピックアップ１６と、ピックアップ１６が搭載されるピックアップベース１７と、ピックアップベース１７をディスク１００の半径方向へ案内する２本の第１ガイド軸１８ａ，１８ｂなどを含んで構成される。
【手続補正７】
【補正対象書類名】明細書
【補正対象項目名】００３１
【補正方法】変更
【補正の内容】
【００３１】
ピックアップ１６は、ディスク１００の記録面１００ｂにレーザ光を照射してデータを記録し、および／または、記録面１００ｂから反射されるレーザ光を受光して予め記録面１００ｂに記録されているデータを再生する。
【手続補正８】
【補正対象書類名】明細書
【補正対象項目名】００３２
【補正方法】変更
【補正の内容】
【００３２】
ピックアップ１６は、光源、対物レンズ、二軸アクチュエータ、光検出器を含んで構成される。光源は、例えばレーザダイオードからなり、レーザ光を発する。対物レンズは、光源から発せられたレーザ光を集光し、ディスク１００の記録面１００ｂに照射する。二軸アクチュエータは、対物レンズをディスク１００の記録面１００ｂに臨ませる。光検出器は、例えばフォトダイオードからなり、ディスク１００の記録面１００ｂから反射されたレーザ光を受光して記録面１００ｂに記録されているデータを読取る。
【手続補正９】
【補正対象書類名】明細書
【補正対象項目名】００３３
【補正方法】変更
【補正の内容】
【００３３】
ピックアップ１６は、ピックアップベース１７に搭載されており、ピックアップベース１７と一体的に移動される。ピックアップベース１７には、ディスク１００の半径方向に配置された第１ガイド軸１８ａ，１８ｂが摺動可能に挿通される。ピックアップベース１７は、ピックアップモータを有するピックアップ移動機構により、第１ガイド軸１８ａ，１８ｂに沿って移動可能なように構成され、ピックアップベース１７の移動に際して、ディスク１００の記録面１００ｂに対するピックアップ１６によるデータの記録および／または再生が行われる。
【手続補正１０】
【補正対象書類名】明細書
【補正対象項目名】００３７
【補正方法】変更
【補正の内容】
【００３７】
ノズル３０は、シアン（Ｃ）用のノズル列３１ａ、マゼンタ（Ｍ）用のノズル列３１ｂ、イエロー（Ｙ）用のノズル列３１ｃ、ブラック（Ｋ）用のノズル列３１ｄを構成する。ノズル３０は、増粘インク、気泡、異物などを排出するために、印刷前、印刷後などにインクをダミー吐出する。
【手続補正１１】
【補正対象書類名】明細書
【補正対象項目名】００４７
【補正方法】変更
【補正の内容】
【００４７】
インタフェース部４１は、パーソナルコンピュータなどの外部装置をディスク装置１に電気的に接続する接続部である。インタフェース部４１は、外部装置から供給される信号を制御部７に出力し、記録／再生部５によりディスク１００の記録面１００ｂから読み出された再生データを外部装置に出力する。外部装置からインタフェース部４１に供給される信号は、例えば、ディスク１００の記録面１００ｂに記録するデータを表す記録データ信号、ディスク１００の印刷面１００ａに印刷する可視情報を表す印刷データ信号である。
【手続補正１２】
【補正対象書類名】明細書
【補正対象項目名】００６０
【補正方法】変更
【補正の内容】
【００６０】
インク吐出データの生成に用いる可視情報は、Ｒ（レッド）、Ｇ（グリーン）、Ｂ（ブルー）に色分けされた複数のドットを二軸直交座標（ＸＹ座標）上に分布させて表現される画像データであり、各ドットは、各色の明るさを表す階調値を有する。可視情報は、例えば、ディスク１００の記録面１００ｂ、ディスク装置１以外の外部装置などに記憶されており、中央制御部５１を介してプリント制御部５３に入力される。
【手続補正１３】
【補正対象書類名】明細書
【補正対象項目名】００６８
【補正方法】変更
【補正の内容】
【００６８】
ドット補正極座標データの各ドットの階調値は、０〜２５５（８ビット）で表されており、ドット補正極座標データを２値化した２値化極座標データの各ドットの階調値は、０と１（１ビット）で表される。２値化極座標データのドットの階調値が１であれば、対応する印刷面１００ａの位置にインク滴が滴下され、階調値が０であれば、滴下されない。
【手続補正１４】
【補正対象書類名】明細書
【補正対象項目名】００８３
【補正方法】変更
【補正の内容】
【００８３】
印刷ヘッド２０は、図７に示すように配置された状態で、回転するディスク１００（図７では、ディスク１００の回転方向ＲＤとして示されている。）の上方でディスク１００の半径方向（図７では、半径方向がＭＤとして示されている）に移動する。これにより、印刷ヘッド２０が移動すると、シアンの２列のノズル列は、基準線Ｂから左１．５ｍｍおよび左０．９ｍｍのオフセット線Ｏ１、Ｏ２上を各々に移動し、マゼンタの２列のノズル列は、基準線Ｂから左右０．３ｍｍのオフセット線Ｏ３、Ｏ４上を各々に移動する。
【手続補正１５】
【補正対象書類名】明細書
【補正対象項目名】００９５
【補正方法】変更
【補正の内容】
【００９５】
一方、本実施形態に係る印刷方法では、図４に示したステップＳ１６により印刷処理が開始されると、ディスク装置１は、図９に示す手順に従って印刷処理を行う。なお、図９には、図４に示したステップＳ１６がステップＳ２０２として示されている。
【手続補正１６】
【補正対象書類名】明細書
【補正対象項目名】０１３５
【補正方法】変更
【補正の内容】
【０１３５】
本発明は、回転する印刷対象物（例えばディスク１００）が描く円の半径方向に相当する基準線Ｂおよび基準線Ｂに平行する１つ以上のオフセット線Ｏのうち、２つ以上の線上に配列される２列以上のノズル列を有し、ノズル列のノズル３０から同一色のインク滴を吐出する印刷ヘッド２０を適用対象とする。特に、本発明は、基準線Ｂに対して他のいずれのノズル列とも線対称に配置されていないノズル列を含む２列以上のノズル列を有する印刷ヘッド２０に好適に適用される。
【手続補正１７】
【補正対象書類名】図面
【補正対象項目名】図１
【補正方法】変更
【補正の内容】
【図１】
2010044823.tif 000001
【手続補正１８】
【補正対象書類名】図面
【補正対象項目名】図２
【補正方法】変更
【補正の内容】
【図２】
2010044823.tif 000002
【手続補正１９】
【補正対象書類名】図面
【補正対象項目名】図３
【補正方法】変更
【補正の内容】
【図３】
2010044823.tif 000003